(57)【要約】ポーリングを使用してフィンガーマージ保護(FMP)を行う技術。指定されたフィンガーのタイミングを調整する命令が受信されるときはいつも、“同じチャネル上の”他のフィンガー(即ち、マージ保護が探索されるフィンガー)は命令を適用する許可のためにポールされる。指定されたフィンガーはポール要求を設定して、FMP記憶ユニットに他の適切な情報を提供する。その後、同じチャネル上の他のフィンガーの各々は、命令を適用することがそのフィンガーに指定されたフィンガーとのマージングをもたらすかどうか決定する。2つのフィンガーのタイミング間の差(即ち、オフセット)が指定されたオフセット間隔よりも小さいなら、マージングが検出されるかもしれない。マージングが検出されるならば、同じチャネル上のいずれかのフィンガーが命令を禁止されるかもしれない。命令が同じチャネル上のいずれかのフィンガーにより禁止されないならば、指定されたフィンガーはそのタイミングを調整するだろう。
2006509448.tif 000002
【特許請求の範囲】
【請求項１】
復調素子(フィンガー)のマージングを防止するように動作可能な装置であって、
マージ保護処理のために使用されるパラメタ値を記憶するように動作する記憶ユニットと、
指定されたフィンガーのタイミングを調整する命令に関してポール要求を設定し、ポール要求のための指定されたフィンガーとマージング可能な１つ以上の他のフィンガーをポールするように動作する少なくとも１つのフィンガーマージ保護(FMP)ユニットとを含む装置。
【請求項２】
各フィンガーについて１つのFMPユニットが備えられ、各FMPユニットは、ポール要求が未定であるなら、マージングについてチェックするように動作する請求項1の装置。
【請求項３】
関連フィンガーのタイミングを調整する命令が未定であり、かつポール要求が未定でないならば、各FMPユニットが新しいポール要求を設定するように動作する請求項2の装置。
【請求項４】
フィンガーのためのFMPユニットが時分割多重化(TDM)方式で１つの処理ユニットにより実施される請求項2の装置。
【請求項５】
マージングが１つ以上のフィンガーのいずれかについて検出されるならば、指定されたフィンガーのタイミングを調整する命令が禁止される請求項1の装置。
【請求項６】
指定されたフィンガーのオフセットと特定のフィンガーとの間の差が特定のオフセット間隔以下であるなら、特定のフィンガーとのマージングが検出される請求項5の装置。
【請求項７】
特定のオフセット間隔が１つ未満のPNチップである請求項6の装置。
【請求項８】
１つ以上のフィンガーが指定されたフィンガーとマージング可能な連続した順序でポールされる請求項1の装置。
【請求項９】
FMPユニットは、指定されたフィンガーが削除されたかどうかを決定するように、および指定されたフィンガーが削除されたならば、ポール要求を取り消すようにさらに動作する請求項1の装置。
【請求項１０】
一組の好ましいフィンガーが確認され、かつ指定されたフィンガーが好ましいフィンガーであるならば、マージングが好ましくないフィンガーで検出されたときでさえ、指定されたフィンガーが調整されることを許される請求項1の装置。
【請求項１１】
好ましいフィンガーが受信信号強度に基づいて確認される請求項10の装置。
【請求項１２】
W-CDMA、IS-2000、またはIS-95を実施するCDMAシステムで動作する請求項1の装置。
【請求項１３】
CDMA通信システムにおいて、受信信号の複数のマルチパス成分を処理するために割当てられた復調素子(フィンガー)のマージングを防止するように動作可能な装置であって、
マージ保護処理のために使用されるパラメタ値を記憶するように動作する記憶ユニットと、
各フィンガーのためのフィンガーマージ保護(FMP)ユニットとを含み、各FMPユニットは、ポール要求が現在未定でないならば、関連フィンガーのタイミングを調整する命令に関してポール要求を設定し、ポール要求が未定であるならば、現在のポール要求を設定する要求フィンガーとのマージングについてチェックし、指定されたフィンガーのタイミングを調節する命令は、マージングが検出されたなら禁止されるように動作する装置。
【請求項１４】
復調素子(フィンガー)のマージングを防止するように動作可能な装置であって、
指定されたフィンガーのタイミングを調整するために命令を受信する手段と、
命令のため指定されたフィンガーとのマージングを可能にする１つ以上の他のフィンガーのポーリング手段と、
命令が１つ以上の他のフィンガーによって禁止されないならば、命令に従って指定されたフィンガーのタイミングを調整する手段とを含む装置。
【請求項１５】
ポーリング手段が、指定されたフィンガーのための一組のパラメタ値で一組のレジスタを初期化することによってポール要求を設定する手段と、
パラメタ値の組の一部に基づいて指定されたフィンガーとのマージングについて１つ以上のフィンガーの各々をチェックし、1つ以上のフィンガーのいずれか１つとのマージングが検出されるなら、命令が禁止されるチェッキング手段とを含む請求項14の装置。
【請求項１６】
受信信号における複数のマルチパス成分を処理するように動作する複数の復調素子(フィンガー)と、
各フィンガーにつき1つの、複数のフィンガーマージ保護(FMP)ユニットとを含み、各FMPユニットは、ポール要求が現在未定でないならば、関連するフィンガーのタイミングを調整する命令についてポール要求を設定し、ポール要求が未定であるならば、現在のポール要求を設定する要求フィンガーとのマージングをチェックし、マージングが検出されるならば、要求フィンガーのタイミングを調整する命令が禁止されるように動作する集積回路。
【請求項１７】
マージ保護処理に使用される一組のパラメタ値を記憶するように動作する記憶ユニットをさらに含む請求項16の集積回路。
【請求項１８】
複数のフィンガーとFMPユニットが時分割多重化(TDM)方式の１つの処理ユニットにより実施される請求項16の集積回路。
【請求項１９】
受信信号における複数のマルチパス成分を処理するように動作する複数の復調素子(フィンガー) を含む復調器と、
各フィンガーにつき1つの、複数のフィンガーマージ保護(FMP)ユニットとを含み、各FMPユニットは、ポール要求が現在未定でないならば、関連するフィンガーのタイミングを調整する命令についてポール要求を設定し、ポール要求が未定であるならば、現在のポール要求を設定する要求フィンガーとのマージングをチェックし、マージングが検出されるならば、要求フィンガーのタイミングを調整する命令が禁止されるように動作する無線通信システムにおける基地局。
【請求項２０】
受信信号における複数のマルチパス成分を処理するように動作する複数の復調素子(フィンガー) を含む復調器と、
各フィンガーにつき1つの、複数のフィンガーマージ保護(FMP)ユニットとを含み、各FMPユニットは、ポール要求が現在未定でないならば、関連するフィンガーのタイミングを調整する命令についてポール要求を設定し、ポール要求が未定であるならば、現在のポール要求を設定する要求フィンガーとのマージングをチェックし、マージングが検出されるならば、要求フィンガーのタイミングを調整する命令が禁止されるように動作する無線通信システムにおける端末。
【請求項２１】
無線通信システムにおいて、受信信号の複数のマルチパス成分を処理ために割当てられた復調素子(フィンガー)のマージングを防止する方法であって、
指定されたフィンガーのタイミングを調整するために命令を受信し、
命令のため指定されたフィンガーとのマージング可能な他の１つ以上のフィンガーをポーリングし、
命令が１つ以上の他のフィンガーにより禁止されないならば、命令に従って指定されたフィンガーのタイミングを調整することを含む方法。
【請求項２２】
ポーリングすることが、
指定されたフィンガーのために一組のパラメタ値で一組のレジスタを初期化することによってポール要求を設定し、
パラメタ値の組の一部に基づいて指定されたフィンガーとのマージングについて１つ以上のフィンガーの各々をチェックし、１つ以上のフィンガーのいずれか1つとのマージングが検出されるなら、命令が禁止されることを含む請求項21の方法。
【請求項２３】
指定されたフィンガーのオフセットと特定のフィンガーとの間の差が特定の値以下であるなら、特定のフィンガーとのマージングが検出される請求項21の方法。
【請求項２４】
受信信号がCDMAシステムのアップリンク信号である請求項21の方法。
【発明の詳細な説明】
【技術分野】
【０００１】
本発明は一般にデータ通信に係り、特に無線通信システムにおける伝送信号のマルチパス成分を処理するために割当てられた復調素子(即ち、フィンガー) のマージングに対する保護技術に関連する。
【背景技術】
【０００２】
無線通信システムでは、送信機(例えば、端末) から送信される変調された信号は、伝播環境(例えば、ビル、自然な構造物など)の人工物による多くの信号パスを通して受信機(例えば、基地局)に達するかもしれない。その結果、受信機の受信信号は多くのマルチパス成分を含み、そのそれぞれは特定の信号パスを通して受信される信号インスタンスに対応するかもしれない。また、受信機が多送信機からの信号を受信するかもしれないので、受信信号は多くの送信機に関する多くのマルチパス成分を含むかもしれない。
【０００３】
デジタルシステムに関して、レイク受信機は与えられた送信機(例えば、与えられた端末) の受信信号における多くのマルチパス成分を処理するためにしばしば使用されている。通常レイク受信機が1つ以上の探索器素子(即ち、簡単に“探索器”という)と多くの復調素子(しばしば“ フィンガー”と呼ばれる) を含んでいる。各探索器は強いマルチパス成分を探索するために受信信号を処理するように動作するかもしれない。そして、各フィンガーは十分な強度の特定のマルチパス成分を処理するために割り当てられるかもしれない。与えられた送信機について多くのマルチパス成分を処理するために多くのフィンガーを割り当て、すべての割り当てられたフィンガーからのシンボル推定値を結合することにより、受信信号のより多くのエネルギーが集められ、改良された性能が達成されるかもしれない。
【０００４】
各マルチパス成分は特定の伝播遅延および受信機に到着の特定の時間に関連づけられ、その両方が信号パスにより決定される。無線通信チャネル、特に移動環境のために、信号パスは時間がたつにつれて絶えず変化するかもしれない。したがって、信号処理の一部として、時間追跡ループは通常活動的なフィンガーのために維持されて、フィンガーに割当てられたマルチパス成分のタイミングを追跡するために使用される。それぞれの時間追跡ループが必要に応じてそのタイミングを進めるか、または遅らせるので、それは割り当てられたマルチパス成分の変化している到着時間にロックされたままである。
【０００５】
信号パス変化に応じて、与えられた送信機についての2つ以上のマルチパス成分の到着時間が互いに近くに接近するかもしれない。マルチパス成分の到着時間間の差が特定の値以下であるとき、マルチパス成分はエネルギー“ブローブ（blob）”として現れ、割り当てられたフィンガーはそれらを解決することができない。その結果、これらのフィンガーは結局同じマルチパス成分を追跡し、現象はしばしば“フィンガーマージング”と呼ばれる。信号パスが次に変化し、マルチパス成分が互いから離れて移動するとき、フィンガーが個々のマルチパス成分を追跡することができないので、このマージングの影響は望ましくない。いったんマージされると、フィンガーは容易に切り離すことができないので、受信信号を処理するために多フィンガーを割り当てることにより得られる利益は失われる。
【発明の開示】
【発明が解決しようとする課題】
【０００６】
したがって、レイク受信機のフィンガーを一緒にマージングから防止する技術が必要がある。
【課題を解決するための手段】
【０００７】
技術はポーリングを使用してフィンガーのマージ保護(FMP)を実行するためにここに提供される。これらの技術はフィンガーが独自に動作されることを許容し、フィンガーのマージ保護のための処理を簡素化するような他の利点を提供することができる。
【０００８】
ポーリングによるフィンガーのマージ保護のため、指定されたフィンガーのタイミングを調整する命令が受信されるときはいつも、“同じチャネル上の”他のフィンガー(即ち、マージ保護が捜し求められるフィンガー)は命令を適用する許可のためにポールされる。指定されたフィンガーはポール要求を設定して、FMP記憶ユニットに他の適切な情報を提供する。その後、同じチャネル上のそれぞれの他のフィンガーは、命令を適用することがそのフィンガーに指定されたフィンガーとのマージングをもたらすかどうか決定する。２つのフィンガーのタイミング間の差(即ち、オフセット)が指定された間隔以下である(例えば、7/8PNチップ)ならば、マージングが検出されるかもしれない。マージングが検出されるならば、同じチャネル上のいずれのフィンガーも命令を禁止するかもしれない。そして、命令が同じチャネル上のいずれのフィンガーによっても禁止されないならば、指定されたフィンガーはそのタイミングを調整するであろう。
【０００９】
発明の様々な態様と実施例が以下に詳細に説明される。
本発明の特徴、特質および利点は、同様な参照符号が対応して同定する図面と関連して取られるとき、以下に示される詳細な記述からより明らかになるであろう。
【発明を実施するための最良の形態】
【００１０】
ここに記述されるフィンガーのマージ保護の技術は、端末から基地局へのアップリンク(逆方向リンク)送信および基地局から端末へのダウンリンク(順方向リンク)送信の両方に使用されるかもしれない。明確にするため、これらの技術は特にアップリンク送信について説明される。
【００１１】
図1は無線通信システム(例えば、CDMAシステム)における基地局104および端末106の簡易化されたブロックダイアグラムである。アップリンク上で、端末106において、送信(TX)データプロセッサ114は、データ源112からのユーザ特定データおよびコントローラ130からのシグナリングのような異なったタイプのトラヒックを受信する。そしてTXデータプロセッサ114はコード化されたデータを提供するために1つ以上のコード化方式に基づいてデータをフォーマット化およびコード化する。
【００１２】
変調器(MOD)116は変調されたデータを提供するために、TXデータプロセッサ114からのコード化されたデータおよびパイロットデータをさらに処理する。CDMAシステムのために、変調器116は異なるチャネル化コードを用いてコード化されたデータおよびパイロットデータを“拡散”または“カバー”し、それらのそれぞれのコードチャネルにユーザ特定データ、シグナリングデータおよびパイロットデータをチャネル化する。CDMAシステムのために、変調器116はさらに拡散系列でチャネル化されたデータをスペクトル的に拡散する。cdma2000システムのアップリンクでは、各端末のための拡散系列は、(1) すべての端末に共通である複素擬似乱数(PN)系列、および(2)端末に特定であるスクランブリング系列に基づいて発生される。したがって、異なった端末からのパイロットはそれらの異なった拡散系列によって確認されるかもしれない。
【００１３】
次に変調されたデータは送信機(TMTR)118に供給され、アップリンク変調信号を発生させるように調節される。調節することは1つ以上のアナログ信号への変換、増幅、フィルタリング、および周波数アップ変換を含むかもしれない。アップリンクの変調された信号は、次にアンテナ120を通してかつ１つ以上の基地局に無線リンク上で伝送される。
【００１４】
基地局104では、複数の端末から送信されたアップリンクの変調信号は１つ以上のアンテナ150の各々により受信される。フェージングなどの有害なパス効果に対して空間的なダイバーシティを提供するため、多アンテナが基地局で使用されにるかもしれない。3つのセクターをサポートする基地局に関する例として、２つのアンテナが各セクターのために使用され、したがって基地局は６つのアンテナを含むかもしれない。任意の数のアンテナが基地局で使われるかもしれない。
【００１５】
各受信信号はそれぞれの受信機ユニット(RCVR)152に提供され、それはまた“フロントエンド”ユニットと呼ばれるかもしれない。各受信機ユニット152は、その受信信号を調節し(例えば、フィルタにかけ、増幅し、および周波数ダウン変換する)、さらにその受信信号についてデータサンプルのストリームを供給するため調節された信号をデジタル化する。各受信信号は多くの端末のそれぞれについて1つ以上の信号インスタンス(即ち、マルチパス成分) を含むかもしれない。
【００１６】
次に復調器(DEMOD) 154は復調されたデータを提供するためすべての受信信号についてデータサンプルを処理する。復調器154は、以下で説明されるように、各受信信号における多くのマルチパス成分を処理することができるレイク受信機を実施するかもしれない。受信(RX) データプロセッサ156は、次に各活動的な端末によってアップリンク上で伝送されたユーザ特定データおよびシグナリングデータを回復するために、復調されたデータを復号する。復調器154とRXデータプロセッサ156による処理は、それぞれ端末で変調器116とTXデータプロセッサ114によって行われた処理を補足している。
【００１７】
コントローラ130と160はそれぞれ端末と基地局において動作を指示する。メモリ132と162はそれぞれコントローラ130と160によって使用されるプログラムコードとデータのための記憶を提供する。
端末の変調器116と基地局の復調器154による処理を記述するために使用される専門用語は異なるCDMA規格において通常異なっている。W-CDMAに関して、チャネル化が“拡散”と呼ばれ、スペクトル拡散が“スクランブリング”と呼ばれる。“拡散”のためのチャネル化コードは直交可変拡散(OVSF)コードであり、“スクランブリング”のための拡散系列はスクランブリングコードと呼ばれる。IS-95およびIS-2000について、チャネル化は“カバーリング”と呼ばれ、スペクトル拡散は“拡散”と呼ばれる。“カバーリング” のためのチャネル化コードはウォルシュコードまたは準直交コードと呼ばれ、拡散系列は疑似乱数(PN)系列と呼ばれる。基地局と端末は、W-CDMAにおいてそれぞれノードBとユーザ装置(UE)と呼ばれる。端末はまた、移動局、遠隔局、アクセス端末、またはいくつかの他の専門用語で呼ばれるかもしれない。
【００１８】
ここに記述されるフィンガーのマージ保護の技術は、様々なデジタル規格と設計に使用されるかもしれない。明快のために、これらの技術は特にW-CDMAについて説明される。
図2は図1の復調器154の一実施例である復調器154aのブロックダイアグラムである。復調器154aはS探索器素子210（即ち、簡単に“探索器”）およびF復調素子220(即ち、簡単に“フィンガー”) を含むレイク受信機を実施し、ここにSとFはそれぞれ1以上の任意の整数であることができる。各探索器210は、与えられた受信信号で強いマルチパス成分を探索し、1つ以上の評価基準を満たす各発見されたマルチパス成分の強度とタイミングの指示を提供するために使用されるかもしれない。通常、それぞれの活動的な探索器210は端末から伝送されたパイロットを探索し、これらのマルチパス成分を見つける。
【００１９】
次に１つのフィンガー220が興味があるそれぞれのマルチパス成分(例えば、探索器210により提供された信号強度とタイミング情報に基づいてコントローラ160によって決定されるように)を処理するために割り当てられるかもしれない。ここに使用されるように、“活動的な”フィンガーは特定のマルチパス成分を処理するために割り当てられるフィンガーである。それぞれの活動的なフィンガーは、割り当てられたマルチパスの成分を処理し、そのマルチパス成分の復調されたシンボルを提供する。特定のデータ伝送(例えば、特定の端末からの) に割当てられるすべての活動的なフィンガーからの復調されたシンボルは結合され、そのデータ伝送のための回復されたシンボルを提供する。
【００２０】
図2に示されるように、各受信信号のためのデータサンプルストリームはそれぞれサンプルバッファ208に提供され、そこで探索器210とフィンガー220によるその後の処理のためにデータサンプルを記憶する。バッファ208は、それらが必要であるときに、記憶されたデータサンプルを探索器とフィンガーに提供する。PN発生器252は探索器とフィンガーにより使用される(以下で説明される)“PNセグメント”を提供する。
【００２１】
各探索器210はコントローラ160とPN発生器252と関連して作動する。それぞれの活動的な探索器210のために、データサンプルは適切なサンプルバッファ208から検索されて、デスクランブラ 212に提供される。デスクランブラ 212は通常対応するPNセグメントと一緒に一度に1つのデータセグメントを受け、各セグメントは特定の時間の持続時間(例えば、PNチップの特定の数、ここに１つのPNチップはスクランブリング系列における1チップまたはビットの時間期間である)にわたる。PNセグメントは、信号が探索される端末によって使用される（複素共役）スクランブリングコード系列の部分である。また、PNセグメントは評価される仮説に対応する特定の位相を有する。デスクランブラ 212はデータサンプルをPNセグメントと乗算し、デスクランブルサンプルを提供する。逆拡散器 214は次に、パイロット(W-CDMAにおいてゼロのOVSFコードである)のためのチャネル化コードでデスクランブルサンプルを逆拡散し、パイロットサンプルを提供する。信号強度検出器216は評価される仮説のためにパイロットの信号強度を推定し、推定された信号強度をコントローラ160に供給する。
【００２２】
仮説の数は通常マルチパス成分を探索するために評価され、各仮説は特定の到着時間と対応しているスクランブリングコード位相に対応している。スクランブリングコードの疑似乱数特質のため、局所的に発生しているスクランブリング系列の位相が受信信号におけるマルチパス成分のものと時間整合され、その場合に相関関係が高い値をもたらす時を除いて、データサンプルのスクランブリング系列との相関関係は、低い値になるであろう。
【００２３】
それぞれの活動的なフィンガー220の中では、データサンプルがデスクランブラ 222に提供され(通常適切なサンプルバッファから一度に1つのセグメント)、それはまた、各データセグメントのためにPN発生器252から対応するPNセグメントを受ける。各PNセグメントは、(1) フィンガーにより処理されているマルチパス成分の到着時間、および(2) 処理されている特定のデータセグメントに依存する特定の位相と関連づけられる。この到着時間は初めに探索器によって決定され、その後、フィンガーのために維持される時間追跡ループ230によって追跡される。デスクランブラ 222は各セグメントのデータサンプルを対応するPNセグメントと乗算し、デスクランブルサンプルを提供する。
【００２４】
データおよびパイロット逆拡散器224aおよび224bは、次にそれぞれトラヒックデータとパイロットのためにOVSFコードでデスクランブルサンプルを逆拡散する。逆拡散は、技術において知られているように、OVSFコードでデスクランブルサンプルを乗算し、OVSFコードの長さにわたって累積することによって達成される。逆拡散器 224bからのパイロットサンプルはパイロットフィルタ228によってさらにフィルタにかけられかつ補間されて、パイロット推定値を提供する。そしてデータ復調器226は逆拡散器 224aからの逆拡散サンプルをパイロット推定値で復調し、割り当てられたマルチパス成分の復調シンボルを提供する。
【００２５】
シンボル結合器 240は割り当てられたすべてのフィンガーからの復調されたシンボルを結合し、与えられたデータ伝送を処理する。シンボル結合器 240は回復されたシンボルを提供し、それは伝送されたデータを回復するためにさらに復号されるかもしれない。図2に示されたようなレイク受信機の設計と動作は米国特許第5,764,687号および第5,490,165号にさらに詳細に説明され、これらは引用文献としてここに組み込まれる。
【００２６】
復調器154aは様々な方法で実行されるかもしれない。“並列”復調器設計において、各フィンガーは別々のハードウェアユニットとして与えられ、多フィンガーは同時に動作されるかもしれない。“TDM”復調器設計において、単一の処理ユニットは必要なフィンガー処理(例えば、デスクランブリング、逆拡散、データ復調、フィンガーのマージ保護など)のすべてを実行し、活動的なフィンガーは時分割多重化(TDM)方法で処理ユニットにより実施される。例えば、処理ユニットは第1の組のクロック周期でフィンガー1のための必要な処理を実行し、次に、第2の組のクロック周期でフィンガー2のための必要な処理を実行するなどのことができる。TDM復調器設計のために、１つのハードウェアユニットが異なる“フィンガースロット”ですべての活動的なフィンガーを与えることができ、ここに各フィンガースロットは特定のフィンガーのために指定される一組のクロック周期を含む。活動的なフィンガーのすべてが各“フィンガーサイクル”をとおして循環させるかもしれない(例えば、NFの活動的なフィンガーがNFフィンガースロットを含む１つのフィンガーサイクルに処理ユニットにより循環されるかもしれない)。各フィンガーの回転は各フィンガーサイクルに一度やって来て、処理ユニットにより現在処理され/実行されているフィンガーは“活性化された”フィンガーと呼ばれる。
【００２７】
図3は１つの基地局アンテナに関する受信信号の例を示す。各端末によって送信される変調された信号は多くの信号パスを通して基地局によって受信されるかもしれない。したがって、各基地局アンテナの受信信号は１つ以上の端末について多くのマルチパス成分を含むかもしれない。それぞれのマルチパス成分は基地局への到着の特定の振幅と時間に関連づけられる。図3に示される例では、マルチパス成分(即ち、ピーク) 1乃至5はそれぞれ到着時間T1乃至T5で関連づけられる。受信信号のマルチパス成分のプロフィールは無線チャネルによって決定され、通常時間がたつにつれて変る。どんな与えられた瞬間でも、互いの近くに密集するマルチパス成分があるかもしれない。１つ未満のPNチップによって分離された2つのマルチパス成分があるならば、“ファトパス”状態が起こるであろう。
【００２８】
フィンガーは探索器によって見つけられた十分な強度のマルチパス成分を処理するように割当てられる。各フィンガーは、マルチパス成分が信号パスの変化のため動き回るとき、その割り当てられたマルチパス成分のタイミング(または到着時間)を追跡するだろう。各マルチパス成分が時間においてドリフトするとき、各マルチパス成分は同じ受信信号において近くなるか、または1つ以上のマルチパス成分を越えさえするかもしれない。同じ受信信号の2つのマルチパス成分の間の到着時間(即ち、距離)の差が特定の値(いくつかのレイク受信機設計のために7/8PNチップであるかもしれない)よりも小さいときに、フィンガーはこれらの個々のマルチパス成分を解決することができない。その結果、フィンガーは“マージ”し、通常２つのより強い同じマルチパス成分を追跡して終わる。これらのマルチパス成分が再び別々にドリフトすると、マージされたフィンガーは、より強いマルチパス成分を追跡し続けるだろう。そして、他方のマルチパス成分からのエネルギーが集められないので、性能が低下されるであろう
フィンガーのマージ保護メカニズムは、マルチパス成分ドリフトが互いにあまりに接近したときを検出して、それらの割り当てられたフィンガーをマージングから防止するのに使用される。このメカニズムは、ある最小の距離または間隔が任意の２つの割り当てられたフィンガーのタイミング間で維持されることを確実にする。任意の２つのフィンガーのタイミング間の差が最小間隔以下であるならば、フィンガーのマージ保護メカニズムはこれらのフィンガーが互いに近づくことを許容せず、それらが離間することを許容するであろう。
【００２９】
態様において、ポーリングを使用してフィンガーのマージ保護を実行する技術が提供される。特定のフィンガーがその時間の追跡ループによって指示されるそのタイミングを調整することを欲するときはいつも、同じチャネル上の他のフィンガーはタイミングを調整する許可のためにポールされる。ここに使用されるように、同じチャネル上のフィンガーはマージ保護が求められるフィンガー（それは通常与えられた端末について同じ受信信号(または同じ基地局アンテナ)のマルチパス成分を処理するように割当てられるフィンガー）を参照する。簡単さのために、フィンガーのタイミングは通常参照時間に関して、即ち参照時間からのオフセットとして表される。したがって、フィンガーのオフセットまたはタイミングオフセットはフィンガーのタイミングを指示するであろう。
【００３０】
特定のフィンガーのオフセットを調整するそれぞれの新しい命令のために、ポール要求または他の適切な情報がFMP記憶ユニットに書かれる。その後、同じチャネル上のそれぞれの他のフィンガーは、ポール要求をチェックして、適用されるならば命令は、そのフィンガーがそのポール要求を設定した要求フィンガーとマージングをもたらすかどうか決定する。マージングが検出されるなら、同じチャネル上の任意のフィンガーが命令を禁止するかもしれない。命令が同じチャネル上の任意のフィンガーにより禁止されないならば、要求フィンガーはそのオフセットを調整し、そうでなければ、命令を廃棄するであろう。
【００３１】
明快のために、ポーリングによるフィンガーのマージ保護はTDM復調器設計(上で説明された) のために以下で説明される。
図4は図2で示されたレイク受信機の一実施例である復調器154bのブロックダイアグラムである。この実施例では、チャネルコントローラ250は活動的なフィンガーのすべてのために時間追跡ループを実施し、処理ユニット270はTDM方法で活動的なフィンガーを実施する。
【００３２】
特定のマルチパス成分を処理するために割り当てられる各活動的なフィンガーのために、フィンガーのタイミングオフセットを調整する命令がそのフィンガーの時間追跡ループによって提供される。調整が特定の量だけフィンガーオフセットの進みの形であるか、別の特定の量だけフィンガーオフセットの遅れの形であるかもしれない。進みと遅れの量は、それぞれ-1/8 PNチップおよび+1/8 PNチップであるかもしれない。そして、調整命令は進み/遅れ(AR)命令と呼ばれるかもしれない。チャネルコントローラ250の時間追跡ループは関連フィンガーのためのAR命令を提供する。
【００３３】
各フィンガーはフィンガーのために様々なパラメタ値を記憶する一組のレジスタに関連づけられる。これらのパラメタ値は以下を含むかもしれない:
・ フィンガーオフセット-フィンガーの現在のオフセット。
・ AR命令-関連した時間追跡ループによって提供されるAR命令。
・ AR未定-フィンガーに関して未定AR命令があるか否かを示す（即ち、受信されたがまだ適用されていない命令）。
・ 最後のポールカウント-マージ保護処理がフィンガーのために最後に行われたときのFMP記憶ユニットからの最後のポールカウント。
・ 最後のReq フィンガー-最後のプール要求を有するフィンガーのための識別子。
【００３４】
FMP記憶ユニット260はフィンガーのマージ保護に使用される様々なパラメタ値を記憶する一組のレジスタを含んでいる。これらのパラメタ値は以下を含むかもしれない:
・ オフセット間隔-同じチャネル上の任意の2つのフィンガーのオフセット間に許容される最小の差。同じオフセット間隔が与えられたチャネル上のすべてのフィンガーに適用されるかもしれないか、または各フィンガーはそれ自身のオフセット間隔に関連づけられるかもしれない。
・ ポール要求-ポール要求が現在未定であるかどうかを示す。
・ Req フィンガーID-ポールを要求するフィンガーの識別子。
・ Req フィンガーオフセット-要求フィンガーの現在のオフセット(そのフィンガーのための未定のAR命令が適用されていない)。
・ AR 命令-要求フィンガーのために未定であるAR命令。
・ 禁止AR-マージングが同じチャネル上の少なくとも１つのフィンガーにより検出されるので、要求フィンガーのための未定のAR命令が禁止されるか否かを示す。
・ ポールカウント-現在のポールカウントを示す。新しいポール要求がFMP記憶ユニットに書かれるときはいつも、１だけ増加される。
フィンガーとFMP記憶ユニットのためのパラメタ値はまた、レジスタの代わりにメモリ(例えば、RAM、フラッシュなど)に記憶されてもよい。
【００３５】
図5はポーリングを使用するフィンガーのマージ保護によるフィンガーオフセット調整のタイムラインを示す。フィンガーxは初めにその時間追跡ループからAR命令を受け取る。そして、フィンガーxはAR命令についてポール要求を設定する。その後、同じチャネル上の各フィンガーはAR命令をチェックして、マージングが検出されるならば、それを禁止する。そして、フィンガーxはそれが禁止されない場合にだけ、AR命令を適用するだろう。AR命令は１つのAR更新間隔内で受信され、チェックされ、かつ適用される。
【００３６】
簡単さのために、以下の記述は、フィンガーオフセット調整が連続した方法で実行されると仮定する(即ち、同じまたは別のフィンガーのための別のAR命令が出される前に、１つのフィンガーのための１つのAR命令が出され、ポールされかつ適用される)。しかしながら、フィンガーオフセット調整はまた、直列または並列方法で実行されるかもしれず、そこで多重AR命令は任意の与えられた時間に未定であるかもしれなく、これも発明の範囲内である。
【００３７】
図6はポール要求のために連続した順序におけるフィンガーのポーリングを示す。この実施例において、活動的なフィンガーは連続した順序で循環し、各フィンガーのためのマージ保護処理は、その回転がやって来るときに実行される。フィンガーxは新しいAR命令を受け取って、ポール要求を設定する。循環されるそれぞれのその後のフィンガーが未定のポール要求のためのAR命令をチェックし、マージングについて検出し、AR命令を許容または禁止する。要求フィンガーの回転が再びやって来るとき、禁止されないならば、それはAR命令を適用する。フィンガーの連続したポーリングはTDM復調器設計と関連して使用されるかもしれない。この場合、フィンガーの回転がやって来るときはいつも各フィンガーのためのマージ保護処理は実行され、それは処理ユニットにより実行される。連続したポーリングはマージ保護処理とハードウェア要件を簡素化するかもしれない。
【００３８】
図7はポーリングでフィンガーマージ保護を実行するための処理700の実施例に関するフローチャートである。処理700は、それぞれの新しいAR命令のためにそのタイミングを更新するように特定のフィンガーにより実行される。
初めに、フィンガーは関連する時間追跡ループから新しいAR命令を受け取る(ステップ712)。そして、フィンガーマージ保護が可能にされるか否かの決定がなされる(ステップ714)。復調器は、いくつかのフィンガーが可能かついくつかの他のフィンガーが不可能など、フィンガーマージ保護が全体の復調器のために選択的に可能／不可能にされるように設計されるかもしれない。フィンガーマージ保護がこのフィンガーのために可能にされないならば、処理はステップ732に進む。
【００３９】
さもなく、フィンガーマージ保護が可能にされるならば、他のフィンガーはこのフィンガーとマージング可能のためにポールされる(ステップ720)。ポーリングはこのフィンガーと同じチャネル上のフィンガーだけに適用されるかもしれない。ポーリングは以下にさらに詳細に説明されるように実行されるかもしれない。
【００４０】
同じチャネル上のすべてのフィンガーが可能なマージングについてAR命令をチェックした後、命令がこれらフィンガーのどれか1つによって禁止されるか否かの決定がなされる(ステップ730)。答えがノーであるならば、AR命令に従ってこのフィンガーのオフセットが調整される(ステップ732)。さもなく、それが禁止されるならば、AR命令は廃棄される(ステップ734)。そして、処理は終わる。
【００４１】
図8は要求フィンガーとマージング可能な他のフィンガーにポールするための処理720aの実施例に関するフローチャートである。図7のステップ720のために使用されるかもしれない処理720aは、図6に示されたように連続する順序でフィンガーをポールする。
【００４２】
初めに、新しいAR命令によりフィンガーはポール要求を設定する(ステップ810)。そして、このフィンガーは要求フィンガーと呼ばれる。ポール要求は、以下で説明されるように一組のパラメタ値で一組のレジスタを初期化することによって設定されるかもしれない。
【００４３】
そして、フィンガーはポール要求の処理のために循環する。活動的なフィンガーは連続して付番された識別子(例えば、NF個の活動的なフィンガーについて1乃至NF)を割り当てられるかもしれない。これらのフィンガーはそれらの識別子に基づく連続した順序で処理されるかもしれない。次の活動的なフィンガーが評価のために選択される(ステップ820)。ループを通す最初の繰り返しのために、選択されたフィンガーは要求フィンガーの直後ものである。
【００４４】
選択されたフィンガーが要求フィンガーと同じであるか否かの決定がなされる(ステップ822)。答えがイエスであるならば、これはすべてのフィンガーがポールされて、処理が終わることを示す。さもなければ、次に選択されたフィンガーと要求しているフィンガーが同じチャネル上にあるか否か(即ち、マージ保護がこれらのフィンガー間で必要であるか否か)の決定がなされる (ステップ824)。答えがノーであるならば、処理はステップ820に戻って、評価のための次の活動的なフィンガーを選択する。さもなければ、要求フィンガーのためのAR命令は選択されたフィンガーと要求しているフィンガーとの間で可能なマージングについてチェックされる(ステップ830)。要求フィンガーが選択されたフィンガーとマージングをもたらすならば、AR命令は禁止される。そして、処理はステップ820に戻る。
【００４５】
ステップ822で決定されたように、すべてのフィンガーが循環された後、マージングが同じチャネル上のどれかのフィンガーにより検出されたならAR命令は禁止され、さもなければ禁止されない。
いくつかの復調器設計に関して、独自に(即ち、フィンガー間の最小の相互作用の有無) フィンガーを動作させることは有利であるかもしれない。しかしながら、マージ保護処理はフィンガー間のいくらかの量の相互作用を必要とする。フィンガーの独自の動作は、各フィンガー内のマージ保護処理を実施して、ポーリング方式を使用することによって達成されるかもしれない。図2に示された実施例について、各フィンガーのためのマージ保護処理はフィンガー内のFMPユニット232により実行されるかもしれない。
【００４６】
図9はマージ保護のため各フィンガーにより実行されるかもしれない処理720bの実施例に関するフローチャートである。処理720bは、フィンガーサイクルにおいてフィンガーの回転がやって来るときはいつも、各フィンガーのFMPユニットにより実行されるかもしれない。
【００４７】
処理720bは二組のステップを含んでいる。ブロック910でのステップは、新しいAR命令が受信されたならポール要求を設定するように実行される。ブロック920でのステップは、ポール要求が未定であるならマージングのために検出するように実行される。処理720bは、図5で示されたように次のAR命令が出される前に1つのAR命令が出され、ポールされ、かつ適用されると仮定する。したがって、新しいAR命令が受信されるなら、ブロック910のステップだけが実行されるのに必要であるが、そうでないときはブロック920におけるステップが実行される。
【００４８】
初めに、新しいAR命令が現在のフィンガー、即ち、処理720bが実行されるフィンガーにより受信されたか否かの決定がなされる(ステップ912)。答えがノーであるならば、処理はブロック910のステップの残りをスキップして、ブロック920でのステップ922に進む。さもなければ、ポール要求は一組のパラメタ値でFMP記憶ユニットの一組のレジスタを初期化することにより、新しいAR命令のために設定される。そして、現在のフィンガーは要求フィンガーとして考えられる。初期化は以下を含むかもしれない：
・ ポール 要求レジスタを設定する(例えば、“1”に)(ステップ914);
・ Req フィンガー IDを要求フィンガーIDで負荷する(ステップ916);
・ Req フィンガーオフセットレジスタを要求フィンガーの現在のオフセットで負荷する(ステップ916);
・ AR 命令レジスタを要求フィンガーのための未定のAR命令で負荷する(ステップ916);
・ 禁止ARレジスタをクリアする(例えば、“0”に)(ステップ918); そして、
・ ポール カウントレジスタの値を増加する(図9では示されない)。
ポール要求を設定した後に、処理はポール要求が効果を得ることを許容するように終わり、他のフィンガーがAR命令をチェックする。ブロック910におけるステップは図8のステップ810のために実行されるかもしれない。
【００４９】
ブロック920(マージングを検出する処理に関する)の中では、未定のポール要求があるか否かの決定が最初になされる(ステップ922)。それが設定されたかどうかを見るためにFMP記憶ユニットのポール 要求レジスタをチェックすることによって、これが決定されるかもしれない。答えがノーであるならば、処理は終わる。さもなければ、未定のポールを要求したフィンガーが現在のフィンガーと同じであるか否かの決定が次になされる(ステップ924)。この決定は、現在のフィンガーIDに対して要求しているフィンガーID(Req フィンガー IDに記憶される)を比較することによってなされるかもしれない。現在のフィンガーがポールを要求したフィンガーであるならば、これは、図6で示されたように、すべてのフィンガーが未定のAR命令についてポールされて、マージ保護処理が要求フィンガーに循環して戻ったことを示すであろう。図7に示されるように、それが禁止されないならば、次に処理は終わり、未定のAR命令が適用されるだろう。図7に示されないが、現在のフィンガーはまた、ポール要求がもはや未定でないことを示すためにFMP記憶ユニットのポール 要求レジスタをクリアするであろう。
【００５０】
現在のフィンガーが要求フィンガーでないならば(ステップ924で)、現在のフィンガーおよび要求フィンガーが同じチャネル上にあるか否かの決定がなされる(ステップ926)。答えがノーであるならば処理は終わる。さもなく、未定のAR命令が適用されることを許されるなら、現在のフィンガーと要求フィンガーがマージするか否かの決定が次になされる(ステップ928)。様々なアルゴリズムがマージングを検出するために使用され、そのいくつかが以下で説明される。1つの簡単なアルゴリズムでは、現在のフィンガーと要求フィンガー(仮定的に適用された未定のAR命令による)のオフセット間の差が最小の許容間隔よりも小さいならばマージングが決定され、それはオフセット間隔レジスタに記憶される。
【００５１】
そして、マージングが検出されたか否かの決定がなされる(ステップ930)。答えがイエスであるならば、禁止ARレジスタが設定され(例えば、“1”に)、AR命令が禁止されることを示す。さもなく、マージングが検出されないならば、実行される必要はない。そして、どちらの場合でも処理は終わる。
【００５２】
完全なポール循環が完了する前に、フィンガーがポール要求を設定して、その後に分解または削除される例があるかもしれない。例えば、マルチパス成分がそのフィンガー消失により追跡されるならば、これは起こるかもしれない。“オーファン”フィンガー(即ち、削除されたフィンガー)により設定された未定のポールが、他の活動的なフィンガーによって適切に削除されることができることを確実にするためにメカニズムが備えられる。
【００５３】
オーファンフィンガーを検出するための特定の方式では、各フィンガーはそのマージ保護処理の一部として現在のポールカウント値と要求フィンガーのIDを記憶する。これは、FMP記憶ユニットのポール カウントレジスタおよびReq フィンガー IDレジスタを、それぞれフィンガーの最後のポールカウントおよび最後のReq フィンガーレジスタにコピーすることによって達成されるかもしれない。このコピーは図9のステップ932後に実行されるかもしれない。
【００５４】
各フィンガーのためのマージ保護処理の始めに(例えば、図 9のステップ912前)、現在の活性化されたフィンガーは、その最後の ポール カウントと最後の Req フィンガーレジスタの値を、それぞれFMP記憶ユニットのポール カウントとReq フィンガー IDレジスタの値と比較するであろう。ポールが現在未定であり、これらの二組の値が同じであるならば、オーファンフィンガーが検出される。この理由は以下の通りである。
【００５５】
現在の未定のポールは現在のフィンガーにより遭遇された先のポールよりも異なっているであろう。先のポールを要求したフィンガーは現在のフィンガーに戻る完全な循環の前にポール 要求レジスタをリセットするであろう。現在の未定のポールは最後のポールを要求したフィンガー、新しいフィンガー、またはオーファンフィンガーにより設定されることができた。連続したポールが同じフィンガーによって設定されるかもしれないので、最後の要求フィンガーのIDをチェックするだけでは十分でないだろう。したがって、ポールカウント値(各新しいポール要求のために要求フィンガーにより増加される)がまたチェックされる。ポールカウントは単一ビットで実施されるかもしれない。ポールカウント値はフィンガーサイクル中に複数回変化するかもしれない、そして最小のサイズカウントで、ポールカウント値は繰り返されることができる。したがって、ポールカウント値と最後の要求フィンガーIDは、2つのAR要求が１つのフィンガーサイクル内でフィンガーにより発生されないという仮定で、オーファンフィンガーを決定するために使用される。
【００５６】
明快ために、上の記述は、フィンガーのタイミングが一度に１つのフィンガーを更新し(図5に示されるように)、かつフィンガーが連続した順序でポールされる(図6に示されるように)と仮定する。ここに説明されるフィンガーマージ保護の技術は、フィンガータイミング更新および/またはフィンガーポーリングがある他の方法で実行されても、また使用されるかもしれない。例えば、AR命令は、それらが関連した時間追跡ループから利用可能であるときに、フィンガーに提供されるかもしれない。そして、各フィンガーは、それが他のフィンガーポールすることができるまで、そのAR命令を記憶するだろう。
【００５７】
多くのAR命令が多くのフィンガーについて同時に未定であるかもしれないならば、マージ保護処理は以下のように各フィンガーにより実行されるかもしれない。各活性化されたフィンガーは、ポールが現在未定であるかどうかを見るために初めにチェックする(図9のステップ922)。答えがノーであるならば、1つが未定であるなら現在の活性化されたフィンガーはそのAR命令についてポール要求を設定することができる(図9のブロック910)。さもなく、ポールが現在未定である(そしてオーファンフィンガーからでない)ならば、現在のフィンガーは未定のポールを処理し、要求フィンガーのためにAR命令を許可または禁止するだろう(図9のステップ924〜932)。現在のフィンガーが未定のAR命令を持ち、要求フィンガーのAR命令が現在のフィンガーまたはいくつかの他のフィンガーによって禁止されるならば、現在のフィンガーはそれ自身AR命令について新しいポール要求を設定することができる。そして、先の要求フィンガー(その回転が再びやって来るとき)は、それが別のフィンガーから新しいポール要求を検出するならば、そのAR命令が禁止されると仮定するだろう。
【００５８】
フィンガーはまた、連続の代わりにある他の方法でポールされるかもしれず、これも発明の範囲内にある。ポーリングの異なった実施はマージ保護処理の異なった実施により適しているかもしれない。例えば、すべてのフィンガーのためのマージ保護処理が共通のユニット(例えば、チャネルコントローラ250)により実行されるならば、このユニットは例えば、フィンガーマスクに基づいて同じチャネル上のフィンガーだけをポールするかもしれない。
【００５９】
マージングための検出は様々な方法で実行されるかもしれない。一実施例では、比較された(仮定的に適用された未定のAR命令で)２つのフィンガーのオフセット間の差がオフセット間隔以下であるならば、マージングは検出される。互いから移動して離れるフィンガーオフセットをもたらすAR命令は禁止されない。別の実施例では、２つのフィンガーにより処理されるマルチパス成分のエネルギーは、またマージングを決定するために考慮に入れられる。エネルギーまたはことによるとフィンガーの数は、異なったオフセットがいくつかの最適化方式のために使用されることを許容するのに使用されるかもしれない。
【００６０】
フィンガーのマージ保護はまた様々な方法で実行されるかもしれない。最初の実施例では、フィンガーのマージ保護は、任意の活動的なフィンガーの選択なしで実行される。各AR命令はそれが受信される順序で処理される。
2番目の実施例では、フィンガーマージ保護は、選択が他にわたっていくつかの活動的なフィンガーに与えられるように実行される。例えば、ある状況において、より弱いマルチパス成分に割当てられたフィンガーとマージングをもたらす命令を適用しているときでさえ、より強いマルチパス成分に割当てられるフィンガーが更新されることを許されるなら、改良された性能が達成されるかもしれない。その場合、より弱いマルチパス成分に割当てられたフィンガーは代わりに動かされるかもしれない。
【００６１】
2番目の実施例の1つの実施では、“選択された”一組の活動的なフィンガーはそれらのマルチパス成分の信号強度に基づいて確認される。この信号強度は受信されたパイロットに基づく受信信号強度指示計(RSSI)によって計算されるかもしれない。信号強度は活動的なフィンガーについて定期的に決定されるかもしれない。そして、フィンガーマージ保護は好ましくないフィンガーを超えて好ましいフィンガーを助力するであろう。特に、与えられた好ましいフィンガーのための適用しているAR命令が、別の好ましくないフィンガーにそれをあまりに接近させるならば、AR命令は好ましいフィンガーのために依然として適用されるであろう。別のAR命令がフィンガーのマージングを治すために(即ち、少なくともオフセット間隔だけフィンガーオフセットを切り離すために)好ましくないフィンガーに適用されるだろう。
【００６２】
明快ために、ポーリングによるフィンガーのマージ保護の特定の実施例はTDM復調器設計のために説明された。他の実施例がまたここに説明された教示に基づいて熟考されるかもしれない。例えば、ポーリングによるフィンガーのマージ保護はまた、フィンガーが独立しているユニットで実施される復調器設計に使用されるかもしれない。フィンガーは可能なマージングについて検出するため各AR命令について依然としてポールされるかもしれない。
【００６３】
ここに説明されたフィンガーのマージ保護の技術は様々な無線通信システムで使用されるかもしれない。例えば、これらの技術はCDMA、時分割多元接続(TDMA)、周波数分割多元接続(FDMA)、および他の無線通信システムで使用されるかもしれない。これらのシステムは1つ以上の適切な規格を実施するかもしれない。例えば、CDMAシステムがW- CDMA、IS-2000、IS-95などを実施するかもしれない。TDMAシステムはGSMなどを実施するかもしれない。これらの様々な規格は技術において知られている。ここに説明された技術はまた、アップリンク伝送と同様にダウンリンク伝送に使用されるかもしれない。
【００６４】
ここに説明された技術は様々な手段によって与えられるかもしれない。例えば、ポーリングによるフィンガーのマージ保護はハードウェア、ソフトウェア、またはそれの組み合わせで実施されるかもしれない。ハードウェアの実施において、フィンガーのマージ保護のために使用される様々な素子(例えば、FMPユニット232およびFMP記憶ユニット260)は、１つ以上の特定用途向け集積回路(ASIC)、デジタル信号プロセッサ(DSP)、デジタル信号処理装置(DSPD)、プログラマブル論理装置(PLD)、フィールドプログラマブルゲートアレイ(FPGA)、プロセッサ、コントローラ、マイクロコントローラ、マイクロプロセッサ、ここに説明された機能を実行するように設計された他の電子ユニット、またはそれの組み合わせの中で実施されるかもしれない。
【００６５】
ソフトウェアの実施において、フィンガーのマージ保護はここに説明された機能を実行するモジュール(例えば、手順、機能など)で実施されるかもしれない。例えば、フィンガーのマージ保護のために実行される機能のいくつかまたはすべて(例えば、図 9に示される処理)が、ソフトウェアモジュールで実施されるかもしれない。ソフトウェアコードはメモリ(例えば、図1および2のメモリユニット162)に記憶されて、プロセッサ(例えば、コントローラ160)によって実行されるかもしれない。このメモリユニットがプロセッサ内またはプロセッサの外部で実施され、その場合に技術で知られているように、メモリユニットは様々な手段を通してプロセッサと通信するように結合されることができる。
【００６６】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。したがって、本発明はここに示された実施例に限定されることを意図せず、ここに開示された原理及び新規な特徴と両立する最も広い範囲を与えられるべきである。
【図面の簡単な説明】
【００６７】
【図１】無線通信システムの基地局と端末の簡易化されたブロックダイアグラムである。
【図２】レイク受信機を実施する復調器のブロックダイアグラムである。
【図３】1つのアンテナからの受信信号の例を示す。
【図４】図2のレイク受信機の実施を示す。
【図５】ポーリングを使用するフィンガーマージ保護によってフィンガーオフセット調整のためのタイムラインを示す。
【図６】ポール要求のために連続した順序におけるフィンガーのポーリングを示す。
【図７】ポーリングでフィンガーマージ保護を実行する処理を示す。
【図８】要求フィンガーとのマージング可能な他のフィンガーをポーリングするための処理を示す。
【図９】マージ保護のために各フィンガーにより実行されるかもしれない処理を示す。
【図１】
2006509448.tif 000003
【図２】
2006509448.tif 000004
【図３】
2006509448.tif 000005
【図４】
2006509448.tif 000006
【図５】
2006509448.tif 000007
【図６】
2006509448.tif 000008
【図７】
2006509448.tif 000009
【図８】
2006509448.tif 000010
【図９】
2006509448.tif 000011
【国際調査報告】
2006509448.tif 000012
2006509448.tif 000013
2006509448.tif 000014